(57)【要約】【課題】  表示部の画面サイズが小さい装置であっても、共有状態の確認が容易にでき、転送先の指定などの操作性が向上する使い勝手のよいネットワーク画像読取装置を提供する。【解決手段】  原稿を読み取り、画像データを取得する読取部３１と、ネットワーク１を介して共有可能な記憶装置３の共有フォルダ５を検知する検知部３５と、検知された共有フォルダ５に識別子を付与する識別子付与部３７と、共有フォルダリストの印刷指示を受け付けるプリント指示受付部４３と、印刷指示を受け付けたとき、リストを印刷出力させる印刷出力制御部４５と、印刷出力されたリストを記憶する出力済み共有フォルダリスト記憶部４１と、転送先として識別子の入力を受け付ける転送先受付部４７と、出力済みリストに基づいて受け付けた識別子に対応する共有フォルダ５を転送先として特定する転送先特定部５１と、画像データを転送先に転送する転送制御部５３と、を備える。【選択図】      図３
2006041904.tif 000002
【特許請求の範囲】
【請求項１】
原稿を読み取り、画像データを取得する読取手段と、
ネットワークを介して共有可能な外部記憶装置の共有フォルダを検知する検知手段と、
前記検知手段で検知された前記共有フォルダに識別子を付与し、共有フォルダリストを作成する付与手段と、
前記付与手段で作成された前記共有フォルダリストを印刷出力する指示を受け付ける受付手段と、
前記受付手段で前記指示を受け付けたとき、前記共有フォルダリストを印刷出力する出力手段と、
前記出力手段で印刷出力された前記共有フォルダリストを出力済み共有フォルダリストとして記憶する出力済みリスト記憶手段と、
前記画像データの転送先として前記識別子の入力を受け付ける転送先受付手段と、
前記出力済みリスト記憶手段に記憶された前記出力済み共有フォルダリストに基づいて前記転送先受付手段で受け付けた前記識別子に対応する前記共有フォルダを前記転送先として特定する転送先特定手段と、
前記画像データを前記ネットワークを介して前記転送先に転送する転送手段と、
を備えたことを特徴とするネットワーク画像読取装置。
【請求項２】
請求項１に記載のネットワーク画像読取装置において、
前記出力手段で前記共有フォルダリストが出力された後、前記検知手段で検知された前記共有フォルダを共有状態情報として記憶する共有状態記憶手段と、
前記共有状態記憶手段に記憶された前記共有状態情報と、前記検知手段で検知された共有フォルダの最新の共有状態情報とを比較して、前記共有状態情報に変更があったか否かを判定する判定手段と、
前記判定手段で前記共有状態情報に変更があると判定されたとき、最新の共有状態情報に基づいて前記付与手段に前記共有フォルダリストを更新させる更新手段と、
を備えたことを特徴とするネットワーク画像読取装置。
【請求項３】
請求項２に記載のネットワーク画像読取装置において、
前記読取手段で前記原稿を読み取る前に、前記判定手段で前記共有状態情報に変更があると判定されたとき、前記共有フォルダリストを印刷出力するよう通知する通知手段を含み、
前記受付手段で前記指示を受け付けたとき、前記出力手段が、前記共有フォルダリストを印刷出力することを特徴とするネットワーク画像読取装置。
【請求項４】
請求項２または３に記載のネットワーク画像読取装置において、
前記判定手段で前記共有状態情報に変更があると判定されたとき、前記出力手段に前記共有フォルダリストを自動的に印刷出力するか否かの設定を受け付ける設定受付手段を含み、
前記自動的に印刷出力する設定を受け付けているとき、かつ前記判定手段で前記共有状態情報に変更があると判定されたとき、前記出力手段が前記共有フォルダリストを自動的に印刷出力することを特徴とするネットワーク画像読取装置。
【請求項５】
請求項１乃至４いずれかに記載のネットワーク画像読取装置において、
前記検知手段で前記共有フォルダを定期的に検知することを特徴とするネットワーク画像読取装置。
【請求項６】
請求項１乃至５いずれかに記載のネットワーク画像読取装置において、
前記出力手段で印刷出力された前記共有フォルダリストをユーザが確認したことを受け付ける確認受付手段を含み、
前記確認受付手段で前記確認を受け付けたとき、前記出力手段で印刷出力された前記共有フォルダリストを出力済み共有フォルダリストとして記憶することを特徴とするネットワーク画像読取装置。
【発明の詳細な説明】
【技術分野】
【０００１】
本発明は、ネットワーク画像読取装置に関し、特に、読み取った画像データを指定した転送先にネットワークを介して転送するネットワーク画像読取装置に関する。
【背景技術】
【０００２】
従来のネットワーク画像読取装置としては、例えば特許文献１に記載されたものがある。同文献に記載されたスキャナ装置は、スキャナ装置で読み込んだ画像データをネットワークを介して接続された複数のＰＣ（パーソナルコンピュータ）間で共有化を図ることができる。
【特許文献１】特開２００３−３３３２５５号公報
【発明の開示】
【発明が解決しようとする課題】
【０００３】
しかしながら、従来のネットワーク画像読取装置において、以下の点で改善の余地を有していた。
【０００４】
ネットワーク画像読取装置から画像データを転送するとき、ネットワーク画像読取装置の操作画面表示部に共有可能なＰＣのフォルダ一覧を表示し、一覧の中から転送先のフォルダを選択する。このとき、フォルダ一覧は一画面に表示された方が都合がよく、画面サイズはある程度の大きさが必要となる。したがって、比較的大きい画面サイズを有する装置の場合は問題ないが、たとえば、数行の小さい表示窓しか有さないような装置の場合、フォルダ一覧を確認するのが困難になるといった問題点があった。
【０００５】
本発明は上記事情に鑑みてなされたものであり、その目的とするところは、表示部の画面サイズが小さい装置であっても、共有状態の確認が容易にでき、転送先の指定などの操作性が向上する使い勝手のよいネットワーク画像読取装置を提供することにある。
【課題を解決するための手段】
【０００６】
本発明によれば、原稿を読み取り、画像データを取得する読取手段と、ネットワークを介して共有可能な外部記憶装置の共有フォルダを検知する検知手段と、前記検知手段で検知された前記共有フォルダに識別子を付与し、共有フォルダリストを作成する付与手段と、前記付与手段で作成された前記共有フォルダリストを印刷出力する指示を受け付ける受付手段と、前記受付手段で前記指示を受け付けたとき、前記共有フォルダリストを印刷出力する出力手段と、前記出力手段で印刷出力された前記共有フォルダリストを出力済み共有フォルダリストとして記憶する出力済みリスト記憶手段と、前記画像データの転送先として前記識別子の入力を受け付ける転送先受付手段と、前記出力済みリスト記憶手段に記憶された前記出力済み共有フォルダリストに基づいて前記転送先受付手段で受け付けた前記識別子に対応する前記共有フォルダを前記転送先として特定する転送先特定手段と、前記画像データを前記ネットワークを介して前記転送先に転送する転送手段と、を備えたことを特徴とするネットワーク画像読取装置が提供される。
【０００７】
ここで、ネットワーク画像読取装置とは、たとえば、ＬＡＮなどのネットワークに接続されたスキャナ、ＭＦＰ（Multi Functional Peripheral）、インターネットファクシミリ装置である。ネットワーク画像読取装置は、同じネットワークに接続された共有フォルダ領域を有する外部記憶装置、たとえば、パーソナルコンピュータの記憶装置などに読み取った画像データを転送する。転送に際しては、たとえば、ＳＭＢ（Server Message Block）など、ネットワークを介したファイル共有を実現するプロトコルを利用することができる。
【０００８】
ここで、識別子とは、たとえば、検知された複数の共有フォルダに順に付与される１、２、３、・・・などの連番や、ａ、ｂ、ｃ、・・・などのアルファベットなどであり、キーボードなどから簡単にキー入力可能な識別番号や符号である。
【０００９】
この発明によれば、表示部の画面サイズが小さい装置であっても、共有状態の確認が容易にでき、転送先の指定などの操作性が向上する使い勝手のよいネットワーク画像読取装置が提供される。
【００１０】
上記ネットワーク画像読取装置において、前記出力手段で前記共有フォルダリストが出力された後、前記検知手段で検知された前記共有フォルダを共有状態情報として記憶する共有状態記憶手段と、前記共有状態記憶手段に記憶された前記共有状態情報と、前記検知手段で検知された共有フォルダの最新の共有状態情報とを比較して、前記共有状態情報に変更があったか否かを判定する判定手段と、前記判定手段で前記共有状態情報に変更があると判定されたとき、最新の共有状態情報に基づいて前記付与手段に前記共有フォルダリストを更新させる更新手段と、を備えることができる。
【００１１】
この構成によれば、最新の共有状態情報に基づいて、共有フォルダリストを更新できるので、共有フォルダの途中解除などによる共有状態の変化にも対応でき、転送エラーが低減し、使い勝手が向上する。
【００１２】
上記ネットワーク画像読取装置において、前記読取手段で前記原稿を読み取る前に、前記判定手段で前記共有状態情報に変更があると判定されたとき、前記共有フォルダリストを印刷出力するよう通知する通知手段を含むことができ、前記受付手段で前記指示を受け付けたとき、前記出力手段が、前記共有フォルダリストを印刷出力することができる。
【００１３】
ここで、通知手段は、たとえば、表示部に共有状態情報が更新されたことを示すメッセージを表示する。あるいは、音声などでメッセージを出力してもよい。
【００１４】
この構成によれば、最新の共有状態情報を確認することができるので、共有ファイルの途中解除などによる共有状態の変化にも対応でき、転送エラーが低減し、使い勝手が向上する。
【００１５】
上記ネットワーク画像読取装置において、前記判定手段で前記共有状態情報に変更があると判定されたとき、前記出力手段に前記共有フォルダリストを自動的に印刷出力するか否かの設定を受け付ける設定受付手段を含み、前記自動的に印刷出力する設定を受け付けているとき、かつ前記判定手段で前記共有状態情報に変更があると判定されたとき、前記出力手段が前記共有フォルダリストを自動的に印刷出力することができる。
【００１６】
この構成によれば、変更があった共有フォルダリストを自動的に印刷出力することができるので、常に新しい共有フォルダリストで転送先を指定することが可能となるので、転送エラーの低減および転送前に共有状態を確認する手間が省け、使い勝手が向上する。
【００１７】
上記ネットワーク画像読取装置において、前記検知手段で前記共有フォルダを定期的に検知することができる。
【００１８】
ここで、検知手段は、共有フォルダを、所定の時間間隔毎に検知してもよいし、予め決められた日時に定期的に検知してもよい。
【００１９】
この構成によれば、定期的に共有フォルダを検知するので、共有状態情報を定期的に確認することが可能となり、より新しい共有フォルダリストで転送先を指定することが可能となるので、転送エラーの低減および転送前に共有状態を確認する手間が省け、使い勝手が向上する。
【００２０】
上記ネットワーク画像読取装置において、前記出力手段で印刷出力された前記共有フォルダリストをユーザが確認したことを受け付ける確認受付手段を含むことができ、前記確認受付手段で前記確認を受け付けたとき、前記出力手段で印刷出力された前記共有フォルダリストを出力済み共有フォルダリストとして記憶することができる。
【００２１】
この構成によれば、ユーザが確認した共有フォルダリストに基づいて転送先の特定を行うことができるので、印刷された共有フォルダリストをユーザが確認していないなどの行き違いの発生を防ぐことが可能となり、より信頼性が増す。
【００２２】
なお、以上の構成要素の任意の組合せ、本発明の表現を方法、装置、システム、記録媒体、コンピュータプログラムなどの間で変換したものもまた、本発明の態様として有効である。
【発明の効果】
【００２３】
本発明によれば、表示部の画面サイズが小さい装置であっても、共有状態の確認が容易にでき、転送先の指定などの操作性が向上する使い勝手のよいネットワーク画像読取装置が提供される。
【発明を実施するための最良の形態】
【００２４】
以下、本発明の実施の形態について、図面を用いて説明する。尚、すべての図面において、同様な構成要素には同様の符号を付し、適宜説明を省略する。
【００２５】
図１は、本実施の形態のネットワーク画像読取装置のネットワーク構成を示す構成図である。ネットワーク画像読取装置１０は、ネットワーク１を介して複数のパーソナルコンピュータ７（図中、「ＰＣ１」および「ＰＣ２」と示す）に接続される。ネットワーク画像読取装置１０は、原稿を読み取り、得られた画像データを、パーソナルコンピュータ７の記憶装置３内の共有フォルダ５（図中、「Ｓｈａｒｅ」や「Ｐｕｂｌｉｃ」とフォルダ名で示す）にネットワーク１を介して転送する。画像データの転送に際しては、たとえば、ＳＭＢなど、ネットワークを介したファイル共有を実現するプロトコルを利用することができる。
【００２６】
ネットワーク画像読取装置１０は、たとえば、ＬＡＮなどのネットワーク１に接続されたネットワークスキャナ、インターネットファクシミリ装置、ＭＦＰなどである。なお、図１において、本発明の本質に関わらない部分の構成については省略してあり、たとえば、ファクシミリ装置の構成である画像処理部やＧ３ファクシミリ通信処理部などは図示されていない。
【００２７】
また、ネットワーク画像読取装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２８】
図２は、本実施の形態のネットワーク画像読取装置１０の概略機能ブロック図である。ネットワーク画像読取装置１０は、制御部１１と、表示部１３と、操作部１５と、記憶部１７と、インタフェース部１９と、印刷出力部２１と、備えている。
【００２９】
制御部１１は、ネットワーク画像読取装置１０の各要素とともに装置全体を制御する。表示部１３は、各種情報表示、操作画面表示、ネットワーク画像読取装置１０の動作や状態表示などを行う。表示部１３は、たとえば、ランプ、ＬＥＤ、ＣＲＴモニタ、液晶ディスプレイなどである。
【００３０】
操作部１５は、ネットワーク画像読取装置１０のユーザから各種設定および入力等の指示を受け付ける。操作部１５は、たとえば、操作ボタン、スイッチ、レバー、キーボード、タッチパネルなどである。記憶部１７については、後述する。
【００３１】
インタフェース部１９は、ネットワーク１を介して接続されたパーソナルコンピュータ７との通信を行う。印刷出力部２１は、後述する共有フォルダリストを印刷出力する。
【００３２】
図３は、本実施の形態のネットワーク画像読取装置１０の制御部１１および記憶部１７の詳細を示す機能ブロック図である。
【００３３】
ネットワーク画像読取装置１０の制御部１１は、読取部３１と、共有情報取得部３３と、判定部４２と、プリント指示受付部４３と、印刷出力制御部４５と、転送先受付部４７と、更新部４９と、転送先特定部５１と、転送制御部５３と、通知部５５と、を備えている。ネットワーク画像読取装置１０の記憶部１７は、画像データ記憶部３９（図中、「画像データ」と示す）、共有状態記憶部４０（図中、「共有状態」と示す）、および出力済み共有フォルダリスト記憶部４１（図中、「出力済み共有フォルダリスト」と示す）を含む。
【００３４】
読取部３１は、原稿を読み取り、画像データを取得する。取得された画像データは、記憶部１７の画像データ記憶部３９に一時的に記憶される。
【００３５】
共有情報取得部３３は、ネットワーク１を介して接続されたパーソナルコンピュータ７の記憶装置３の共有フォルダ５を検知し、ネットワーク画像読取装置１０が共有可能な共有フォルダを取得する。共有情報取得部３３は、検知部３５および識別子付与部３７を含む。
【００３６】
検知部３５は、ネットワーク１を介して共有可能なパーソナルコンピュータ７の記憶装置３の共有フォルダ５を検知する。検知部３５で検知された共有フォルダ５は、記憶部１７の共有状態記憶部４０に最新の共有状態情報として記憶される。共有状態記憶部４０には、後述する印刷出力制御部４５で最新の共有フォルダリストが出力された後に、後述する判定部４２で使用する情報として前の共有状態情報もさらに記憶される。
【００３７】
識別子付与部３７は、共有状態記憶部４０に記憶された最新の共有状態情報の共有フォルダ５に識別子をそれぞれ付与し、共有フォルダリストを作成する。ここで、識別子とは、たとえば、検知された複数の共有フォルダに順に付与される１、２、３、・・・などの連番や、ａ、ｂ、ｃ、・・・などのアルファベットなどの符号などであり、キーボードなどから簡単にキー入力可能な識別番号や符号であるのが好ましい。
【００３８】
判定部４２は、共有状態記憶部４０に記憶された前の共有状態情報と、最新の共有状態情報と、を比較して、共有状態情報に変更があったか否かを判定する。
【００３９】
プリント指示受付部４３は、識別子付与部３７で作成された共有フォルダリストを印刷出力する指示を受け付ける。印刷出力制御部４５は、プリント指示受付部４３が印刷出力する指示を受け付けたとき、共有フォルダリストを印刷出力するよう印刷出力部２１を制御する。なお、本実施の形態において、印刷出力制御部４５は、判定部４２で共有状態情報に変更があると判定されたときに、自動的に印刷出力するか否かの自動プリント設定に基づいて、最新の共有フォルダリストを印刷出力する。自動プリントの設定は、図示されない受付部で受け付けられ、図示されない設定記憶部に予め記憶される。
【００４０】
転送先受付部４７は、画像データの転送先として、ユーザが共有フォルダリストを参照して操作部１５を操作して入力した識別子を受け付ける。この場合、表示部１３に、「転送先を識別番号で入力してください。」などのメッセージが表示される。更新部４９は、判定部４２で共有状態情報に変更があると判定されたとき、共有状態記憶部４０に記憶された最新の共有状態情報に基づいて識別子付与部３７に共有フォルダリストを更新させる。
【００４１】
転送先特定部５１は、出力済み共有フォルダリスト記憶部４１に記憶された出力済み共有フォルダリストに基づいて、転送先受付部４７で受け付けた識別子に対応する共有フォルダ５を転送先として特定する。転送制御部５３は、記憶部１７の画像データ記憶部３９に一時的に記憶されている画像データをネットワーク１を介して転送先に転送する。通知部５５は、読取部３１で原稿を読み取る前に、判定部４２で共有状態情報に前回から変更があると判定されたとき、最新の共有フォルダリストが未出力であることを通知する。または、通知部５５は、自動プリント設定がオフで、かつ定期的に共有フォルダを検知部３５が検知している場合、判定部４２で共有状態情報に変更があると判定されたとき、最新の共有フォルダリストが未出力であることを通知する。
【００４２】
図４は、本実施の形態のネットワーク画像読取装置１０の共有フォルダリスト更新時の動作の一例を示すフローチャートである。本実施の形態において、検知部３５は、共有フォルダを定期的に検知するものとする。
【００４３】
まず、共有情報取得部３３の検知部３５は、タイマ（不図示）により所定時間経過毎に（Ｓ１１のＹＥＳ）、ネットワーク１を介して共有可能なパーソナルコンピュータ７の記憶装置３の共有フォルダ５を検知する（Ｓ１３）。検知部３５で検知された共有フォルダは、記憶部１７の共有状態記憶部４０に最新の共有状態情報として記憶される。つづいて、判定部４２は、ステップＳ１３で共有状態記憶部４０に記憶された最新の共有状態情報と、共有状態記憶部４０に記憶された前の共有状態情報とを比較して、共有状態情報に変更があるか否かを判定する（Ｓ１５）。
【００４４】
判定部４２が共有状態情報に変更があると判定した場合（Ｓ１５のＹＥＳ）、制御部１１は、更新フラグをセットする（Ｓ１７）。更新フラグは記憶部１７に記憶することができる。また、ネットワーク画像読取装置１０の初期立ち上げ時は、判定部４２は共有状態情報に変更があると判定する。つづいて、印刷出力制御部４５は、共有フォルダリストの自動プリント設定がオンか否かを判定する（Ｓ１９）。ここでは、設定記憶部に記憶された自動プリント設定に基づいて判定する。
【００４５】
印刷出力制御部４５が自動プリント設定がオンと判定した場合（Ｓ１９のＹＥＳ）、更新部４９は、識別子付与部３７に、共有状態記憶部４０に記憶された最新の共有状態情報の共有フォルダ５に識別子を付与させ、共有フォルダリストを作成する（Ｓ２１）。
【００４６】
つづいて、印刷出力制御部４５は、ステップＳ２１で作成された共有フォルダリストを印刷出力するよう印刷出力部２１を制御する（Ｓ２３）。共有フォルダリストが印刷出力された後、制御部１１は、記憶部１７の出力済み共有フォルダリスト記憶部４１にステップＳ２３で出力された共有フォルダリストを出力済み共有フォルダリストとして記憶する（Ｓ２５）。こうして、共有フォルダリストが印刷出力された後に、記憶部１７の出力済み共有フォルダリスト記憶部４１に記憶される出力済み共有フォルダリストが更新される。さらに、このとき、制御部１１は、記憶部１７の共有状態記憶部４０に最新の共有状態情報として記憶されている共有状態情報を、前の共有状態情報として記憶する。
【００４７】
つづいて、制御部１１は、更新フラグをリセットし（Ｓ２７）、本処理を終了する。一方、ステップＳ１９で、自動プリント設定がオフの場合（Ｓ１９のＮＯ）、通知部５５は、最新の共有フォルダリストが未出力であることを通知し（Ｓ２９）、本処理を終了する。また、ステップＳ１１で、所定の時間に達していない場合（Ｓ１１のＮＯ）、本処理を終了する。
【００４８】
図５は、本実施の形態のネットワーク画像読取装置１０の記憶部１７の構造の一例を示す図である。ここで、図５（ａ）は、ネットワーク画像読取装置１０の記憶部１７の出力済み共有フォルダリスト記憶部４１の構造の一例である。図５（ｂ）は、ネットワーク画像読取装置１０の記憶部１７の共有状態記憶部４０の構造の一例である。
【００４９】
図６は、本実施の形態のネットワーク画像読取装置１０の印刷出力部２１から印刷出力されるリストの一例を示す図である。このリストは、図５（ａ）の共有フォルダリストが出力された例である。
【００５０】
図７は、本実施の形態のネットワーク画像読取装置１０の画像データ転送時の動作の一例を示すフローチャートである。
【００５１】
まず、原稿を読み取る際の用紙サイズ、解像度、色などの読取条件を読取条件受付部（不図示）が受け付ける（Ｓ３１）。ここで、読取条件受付部は、ユーザが操作部１５を介して入力した読取条件を受け付ける。つづいて、ユーザが、スタートボタン（不図示）などの操作部１５を介して操作した読取開始指示を開始受付部（不図示）が受け付ける（Ｓ３３）。開始受付部が読取開始指示を受け付けたとき（Ｓ３３のＹＥＳ）、プリント指示受付部４３は、最新の共有フォルダリストを出力する指示を待つ（Ｓ３５）。
【００５２】
最新の共有フォルダリストの出力指示を受け付けたとき（Ｓ３５のＹＥＳ）、印刷出力制御部４５は、共有フォルダリストを出力するように印刷出力部２１を制御する（Ｓ３７）。つづいて、制御部１１は、印刷出力された共有フォルダリストを記憶部１７の出力済み共有フォルダリスト記憶部４１に出力済み共有フォルダリストとして記憶する（Ｓ３９）。つづいて、制御部１１は、更新フラグをリセットする（Ｓ４１）。
【００５３】
一方、ステップＳ３５で、共有フォルダリストの出力指示を受け付けなかった場合（Ｓ３５のＮＯ）、判定部４２は、更新フラグがセットされているか否かを判定する（Ｓ４３）。更新フラグがセットされている場合（Ｓ４３のＹＥＳ）、すなわち、最新の共有フォルダリストが未出力であるので、通知部５５は、そのことを通知する（Ｓ４５）。たとえば、「最新の共有フォルダリストが出力されていません。印刷しますか？」などのメッセージを表示する。ここで、「印刷する」が選択された場合（Ｓ４７のＹＥＳ）、ステップＳ３７に進む。
【００５４】
一方、ステップＳ４７で、「印刷しない」が選択された場合（Ｓ４７のＮＯ）、ステップＳ５１に進む。また、ステップＳ４３で更新フラグがセットされていない場合も（Ｓ４３のＮＯ）、ステップＳ５１に進む。
【００５５】
ステップＳ４１の後、転送先受付部４７は、画像データの転送先として、ユーザが、印刷された共有フォルダリストを参照して操作部１５を操作して入力した識別子を受け付ける（Ｓ５１）。このとき、表示部１３に、「転送先を識別番号で入力してください。」などのメッセージが表示される。つづいて、転送先特定部５１は、出力済み共有フォルダリストに基づいて、転送先受付部４７で受け付けた識別子に対応する共有フォルダ５を転送先として特定する（Ｓ５３）。つづいて、読取部３１は、ステップＳ３１で受け付けた読取条件にしたがって原稿を読み取り、画像データを取得し、記憶部１７の画像データ記憶部３９に一時的に記憶する（Ｓ５５）。つづいて、転送制御部５３は、記憶部１７の画像データ記憶部３９に一時的に記憶されている画像データをネットワーク１を介してステップＳ５３で特定された転送先に転送する（Ｓ５７）。
【００５６】
このように構成されたネットワーク画像読取装置１０の動作について、図１乃至図７を用いて説明する。
【００５７】
ここでは、前回の共有状態情報が、図５（ｂ）の共有状態記憶部４０に示される状態であったが、「ＰＣ３」というパーソナルコンピュータ７の「Ｓｈａｒｅ」という共有フォルダ５の共有状態が途中で解除された場合を例として説明する。また、自動プリント設定はオンに設定されているものとする。
【００５８】
図４において、定期的に（Ｓ１１のＹＥＳ）検知部３５によりネットワーク１上の共有フォルダ５が検知され、記憶部１７の共有状態記憶部４０に最新の共有状態情報として記憶される（Ｓ１３）。つづいて、判定部４２は、ステップＳ１３で共有状態記憶部４０に記憶された最新の共有状態情報と、共有状態記憶部４０に記憶された前の共有状態情報とを比較し、共有状態情報に変更があると判定する（Ｓ１５のＹＥＳ）。制御部１１は、更新フラグをセットする（Ｓ１７）。
【００５９】
つづいて、印刷出力制御部４５により自動プリント設定はオンと判定され（Ｓ１９のＹＥＳ）、更新部４９は、識別情報付与部３７に共有状態記憶部４０に記憶された最新の共有状態情報の共有フォルダ５に識別子を付与させ、共有フォルダリストを作成する（Ｓ２１）。このとき、図５（ａ）の出力済み共有フォルダリスト記憶部４１と同じ共有フォルダリストが作成されている。
【００６０】
つづいて、印刷出力制御部４５は、ステップＳ２１で作成された共有フォルダリストを印刷出力するよう印刷出力部２１を制御する（Ｓ２３）。このとき、図６に示す共有フォルダリスト６１が印刷出力される。
【００６１】
共有フォルダリストが印刷出力された後、制御部１１は、記憶部１７の出力済み共有フォルダリスト記憶部４１にステップＳ２３で出力された共有フォルダリストを出力済み共有フォルダリストとして記憶する（Ｓ２５）。こうして、共有フォルダリストが印刷出力された後に、記憶部１７の出力済み共有フォルダリスト記憶部４１に記憶される出力済み共有フォルダリストが図５（ａ）に示されるように更新される。つづいて、制御部１１は、更新フラグをリセットし（Ｓ２７）、本処理を終了する。
【００６２】
つづいて、図６に示す共有フォルダリスト６１に基づいて、ユーザが転送先を指定するときの動作について説明する。ここでは、既に、ユーザは共有フォルダリスト６１を入手しており、共有状態に変更はないものとする。
【００６３】
図７において、原稿の読み取り条件が受け付けられ（Ｓ３１）、さらに読取開始指示が受け付けられると（Ｓ３３のＹＥＳ）、プリント指示受付部４３は、最新の共有フォルダリストの出力指示を待つ（Ｓ３５）。ここで、ユーザが出力指示をしないので（Ｓ３５のＮＯ）、ステップＳ４３に進み、判定部４２は、更新フラグがセットされているか否かを判定する。ここでは、更新フラグはセットされていないので（Ｓ４３のＮＯ）、ステップＳ５１に進む。表示部１３に、「転送先を識別番号で入力してください。」などのメッセージが表示され、ユーザが、たとえば、「１」を入力したとする。
【００６４】
転送先受付部４７は、転送先として識別子「１」を受け付け（Ｓ５１）、転送先特定部５１は、出力済み共有フォルダリスト（図５（ａ））に基づいて、転送先受付部４７で受け付けた識別子「１」に対応する共有フォルダ５「ＰＣ１のＳｈａｒｅ」を転送先として特定する（Ｓ５３）。
【００６５】
つづいて、読取部３１は、ステップＳ３１で受け付けた読取条件にしたがって原稿を読み取り、画像データを取得し、記憶部１７の画像データ記憶部３９に一時的に記憶する（Ｓ５５）。つづいて、転送制御部５３は、記憶部１７の画像データ記憶部３９に一時的に記憶されている画像データをネットワーク１を介してステップＳ５３で特定された転送先「ＰＣ１のＳｈａｒｅ」に転送する（Ｓ５７）。
【００６６】
以上説明したように、本発明の実施の形態のネットワーク画像読取装置１０によれば、表示部１３の画面サイズが小さくても、印刷された共有フォルダリストで共有状態の確認を容易にでき、転送先の指定もキーボードから簡単にキー入力できる番号や符号を入力するだけで行うことができるので、操作性が向上する使い勝手のよいネットワーク画像読取装置が提供される。
【００６７】
また、本実施の形態のネットワーク画像読取装置１０は、定期的に共有フォルダ５を検知する構成としたので、最新の共有状態情報に基づいて、共有フォルダリストを更新でき、共有フォルダの途中解除などによる共有状態の変化にも対応でき、転送エラーが低減し、使い勝手が向上する。
【００６８】
また、本実施の形態のネットワーク画像読取装置１０は、変更があった共有フォルダリストを自動的に印刷出力することができるので、常に新しい共有フォルダリストで転送先を指定することが可能となるので、転送エラーの低減および転送前に共有状態を確認する手間が省け、使い勝手が向上する。
【００６９】
以上、図面を参照して本発明の実施形態について述べたが、これらは本発明の例示であり、上記以外の様々な構成を採用することもできる。
【００７０】
たとえば、図４のステップＳ２５の前に、共有フォルダリストの印刷出力が正常に行われたか否かの判定を行う判定部を設けてもよい。この構成によれば、正常に印刷出力がなされた場合にのみ、出力済み共有フォルダリストを更新することができるので、装置の信頼性が増す。
【００７１】
また、ユーザが共有フォルダリストを確認したことを受け付ける確認受付部を設けてもよく、確認受付部でユーザの確認を受け付けたときに、出力済み共有フォルダリストを更新する構成とすることもできる。この構成によれば、ユーザが確認した共有フォルダリストに基づいて転送先の特定を行うことができるので、印刷された共有フォルダリストをユーザが確認していないなどの行き違いの発生を防ぐことが可能となり、より信頼性が増す。
【図面の簡単な説明】
【００７２】
【図１】本発明の実施の形態に係るネットワーク画像読取装置のネットワーク構成を模式的に示した構成図である。
【図２】図１のネットワーク画像読取装置の概略機能ブロック図である。
【図３】図２のネットワーク画像読取装置の要部構成を示す概略機能ブロック図である。
【図４】図２のネットワーク画像読取装置の共有フォルダリスト更新時の動作の一例を示すフローチャートである。
【図５】図３のネットワーク画像読取装置の記憶部の構造の一例を示す図である。
【図６】図２のネットワーク画像読取装置の印刷出力部から出力される共有フォルダリストの一例を示す図である。
【図７】図２のネットワーク画像読取装置の画像データ転送時の動作の一例を示すフローチャートである。
【符号の説明】
【００７３】
１  ネットワーク
３  記憶装置
５  共有フォルダ
７  パーソナルコンピュータ
１０  ネットワーク画像読取装置
１１  制御部
１３  表示部
１５  操作部
１７  記憶部
１９  インタフェース部
２１  印刷出力部
３１  読取部
３３  共有情報取得部
３５  検知部
３７  識別子付与部
３９  画像データ記憶部
４０  共有状態記憶部
４１  共有フォルダリスト記憶部
４２  判定部
４３  プリント指示受付部
４５  印刷出力制御部
４７  転送先受付部
４９  更新部
５１  転送先特定部
５３  転送制御部
５５  通知部
６１  共有フォルダリスト
【図１】
2006041904.tif 000003
【図２】
2006041904.tif 000004
【図３】
2006041904.tif 000005
【図４】
2006041904.tif 000006
【図５】
2006041904.tif 000007
【図６】
2006041904.tif 000008
【図７】
2006041904.tif 000009